(57)【特許請求の範囲】
【請求項１】
内部が空洞に形成され、該空洞内部に縫合糸を収納する糸収納部が形成されている把持部と，前記縫合糸を送通する中空状に形成され、患部を縫合する中空針部と，によって構成されるものであって，
前記把持部は，
後端部の開口部に、該開口部を閉塞する蓋を設け，
先端部の該把持部の軸心と交差する軸心方向の位置に、外周が先端方向に小径となる円錐状に形成され、前記把持部内に形成される前記糸収納部に連通し、前記縫合糸を前記把持部の軸心と交差する軸心方向に前記糸収納部から外部に導出する筒状嵌合凸部を設け，
てなり，
前記中空針部は，
予め所要の曲率で湾曲され、金属製で構成され，
先端には斜めに切断して形成する突刺し部を設け，
基端部には前記筒状嵌合凸部に嵌合する嵌合孔が形成された支持部を設け，
前記支持部の嵌合孔に前記把持部の筒状嵌合凸部を嵌合することにより、筒状嵌合凸部に支持部を保持し、前記中空針部の基端部が把持部に取り付け、前記基端部の軸心と前記把持部の軸心とが交差する方向に着脱可能に取り付けられるようにしたことを特徴とする注射針型縫合器。
【発明の詳細な説明】
【０００１】
【発明の属する技術分野】
本発明は、切り傷や裂傷等の患部を縫合する際に用いて好適な注射針型縫合器に関するものである。
【０００２】
【従来の技術】
図４は、従来のこの種の注射針型縫合器の構造を示したものである。この注射針型縫合器は、先端に突刺し部１ａを設けた金属製で注射針状をなす直線状の中空針部１と、該中空針部１の基端に平行する向きで固定された樹脂製の把持部２と、該把持部２内に空洞として設けられた糸収納部３と、該糸収納部３内に収納されて先端部４ａが中空針部１内を通って突刺し部１ａで外に導出されている縫合糸４と、糸収納部３の後端を開閉すべく把持部２の後端に嵌め付けられた蓋５とで構成されていた。
【０００３】
【発明が解決しようとする課題】
しかしながら、従来の注射針型縫合器では、中空針部１は一般に直線状に形成されていたため、患部を縫合する際に、縫合すべき患部を持ち上げた状態で中空針部１を該患部に突き通さなければならず、縫合の作業性が悪い問題点があった。
【０００４】
また、前記の中空針部１には湾曲させたものも提案されているが、この中空針部１に固定される把持部２は中空針部１の基端に平行する向きで固定されているので、縫合すべき患部に対して湾曲された中空針部１の突刺し部１ａを突き通す際には、手首を大きく曲げるだけでなく、手首、肘そして腕の大きな動きを伴い、縫合の作業性が悪い問題点があった。
【０００５】
また、従来の注射針型縫合器は金属製の中空針部１と樹脂製の把持部２が分離できる構造となってないため、使用後に中空針部１と把持部２の分別廃棄ができないといった問題点があった。
【０００６】
本発明の目的は、縫合すべき患部を持ち上げず、しかも手首の僅かな動きでもって、中空針部の先端の突刺し部を患部に突き通すことができる注射針型縫合器を提供することにある。
【０００７】
本発明の他の目的は、金属製の中空針部と樹脂製の把持部の分別廃棄を可能にした注射針型縫合器を提供することにある。
【０００８】
【課題を解決するための手段】
上記の目的を達成するため本発明は、内部が空洞に形成され、該空洞内部に縫合糸を収納する糸収納部が形成されている把持部と，前記縫合糸を送通する中空状に形成され、患部を縫合する中空針部と，によって構成されるものであって，
前記把持部は，
後端部の開口部に、該開口部を閉塞する蓋を設け，
先端部の該把持部の軸心と交差する軸心方向の位置に、外周が先端方向に小径となる円錐状に形成され、前記把持部内に形成される前記糸収納部に連通し、前記縫合糸を前記把持部の軸心と交差する軸心方向に前記糸収納部から外部に導出する筒状嵌合凸部を設け，
てなり，
前記中空針部は，
予め所要の曲率で湾曲され、金属製で構成され，
先端には斜めに切断して形成する突刺し部を設け，
基端部には前記筒状嵌合凸部に嵌合する嵌合孔が形成された支持部を設け，
前記支持部の嵌合孔に前記把持部の筒状嵌合凸部を嵌合することにより、筒状嵌合凸部に支持部を保持し、前記中空針部の基端部が把持部に取り付け、前記基端部の軸心と前記把持部の軸心とが交差する方向に着脱可能に取り付けられるようにしたことを特徴とする。
【０００９】
このような注射針型縫合器では、中空針部が湾曲されているので、患部を縫合する際には縫合すべき患部を持ち上げないでも中空針部を突き刺して反対側で突刺し部を外に出すことができる。そして、中空針部の基端部は把持部に、前記基端部の軸心と把持部の軸心とが交差する方向をもって基端部の軸心を中心に角度変更可能に取り付けられているので、把持部を把持したときの手首の向きが湾曲された中空針部の基端部の軸心と交差するようになり、患部の縫合に際し中空針部の先端の突刺し部を縫合位置に当てて押し込むようにして手首を把持部の軸心を中心にして回転させることにより、中空針部を患部に突き通すことができる。このときの手首の曲がりも少なく、その動きも無理のない僅かな動きだけで、肘や腕の動きも殆ど伴わず、縫合作業を容易に行うことができる。更に、中空針部をその基端部の軸心を中心に角度をかえることにより、把持部に対する中空針部の角度を縫合する患部の位置により縫合し易いように、そして把持部を把持したときの手が患部への視覚の妨げになら内容に調整することができる。
【００１０】
【発明の実施の形態】
図１及び図２は本発明に係る注射針型縫合器における実施の形態の一例を示したもので、図１は本例の注射針型縫合器の縦断側面図、図２は本例の注射針型縫合器の分解斜視図である。なお、前述した図４と対応する部分には同一符号を付けて示している。
【００１１】
本例の注射針型縫合器では、金属製の中空針部１は予め所要の曲率で湾曲されている。中空針部１の先端には、中空針部１の先端を斜めに切断して突刺し部１ａが設けられている。前記中空針部１の基端部１ｂは把持部２に、前記基端部１ｂの軸心Ｃ２と把持部２の軸心Ｃ１とが交差する方向をもって着脱可能に且つ基端部１ｂの軸心Ｃ２を中心に角度変更可能に取り付けられている。
【００１２】
把持部２内に空洞として形成されている糸収納部３には、把持部２の後部の開口部から縫合糸４が収納されている。把持部２の後部の開口部は蓋５で閉塞されている。縫合糸４の先端部４ａは、把持部２に取り付けられた前記中空針部１内を通って先端の突刺し部１ａから外に導出されている。
【００１３】
前記中空針部１の基端部１ｂを把持部２に取り付ける構造は次のようになっている。把持部２の先端側下部に、把持部２の軸心Ｃ１と交差する方向に取付用筒状嵌合凸部６が形成されている。この筒状嵌合凸部６は把持部２内に形成されている糸収納部３と連通しており、糸収納部３に収納されている縫合糸４は筒状嵌合凸部６から外に導出されている。筒状嵌合凸部６の外周は先端方向に小径となる円錐状に形成されている。
【００１４】
また、中空針部１の基端部１ｂには前記筒状嵌合凸部６の外周に圧入され密に嵌合する嵌合孔が形成された支持部７が設けられている。この支持部７の嵌合孔に前記把持部２の筒状嵌合凸部６を圧入することにより、筒状嵌合凸部６に支持部７が保持され、これにより中空針部１の基端部１ｂが把持部２に取り付けられるようになっている。そして、筒状嵌合凸部６に支持部７を支持部７の軸心を中心とする角度を任意に変えて嵌合することにより、或いは筒状嵌合凸部２に嵌合した支持部７を嵌合した状態のまま回すことにより、中空針部１を把持部２に、基端部１ｂの軸心Ｃ２を中心に角度変更可能に取り付けられるようになっている。前記支持部７の嵌合孔の孔底は中空針部１内と連通しており、把持部２内の糸収納部３に収納されている縫合糸４は、筒状嵌合凸部２から支持部６を通り、そして中空針部１を通って先端の突刺し部１ａから外に導出されている。
【００１５】
このようにして取り付けられた中空針部１と把持部２の分離にあっては、把持部２の筒状嵌合凸部６に嵌合した支持部７を回転を加えながら強く分離方向に引くことにより筒状嵌合凸部６から支持部７を外すことができ、これにより中空針部１と把持部２が分離される。
【００１６】
なお、前記中空針部１の基端部１ｂを把持部２に取り付ける手段にあっては、中空針部１の基端部１ｂが把持部２に、前記基端部１ｂの軸心Ｃ２と把持部２の軸心Ｃ１とが交差する方向をもって着脱可能に且つ基端部１ｂの軸心Ｃ２を中心に角度変更可能に取り付けられる限り、上記構造に限定されるものではない。
【００１７】
上記のように構成される注射針型縫合器は、図示しないが保管時には中空針部１には保護カバーを嵌めて保護するようになっている。このような注射針型縫合器は、予め全体的に減菌してシール包装体により減菌包装しておけば、使用時には該包装体から取り出すことによりそのまま使用できる。
【００１８】
図３（Ａ）（Ｂ）は、本例の注射針型縫合器で患部を縫合する過程を示したものである。
図３（Ａ）に示すように、湾曲した中空針部１の先端の突刺し部１ａが患部８の傷口９を横切ることができるように、把持部２を傷口８に対してほぼ平行する向きにする。かかる状態で、中空針部１の先端の突刺し部１ａを患部８に押し当て、手首を把持部２の軸心を中心にして回転させるようにして、即ち把持部２を矢印で示すように回転させて突刺し部１ａを患部８に突き刺し、図３（Ｂ）に示すように湾曲した中空針部１で傷口９を横切らせ、突刺し部１ａを反対側に出す。
【００１９】
このようにすると、縫合すべき患部８を持ち上げないでも中空針部１を突き刺して反対側で突刺し部１ａを外に出すことができる。そして、中空針部１の基端部１ｂは把持部２に、前記基端部１ｂの軸心Ｃ２と把持部２の軸心Ｃ１とが交差する方向をもって基端部１ｂの軸心Ｃ２を中心に角度変更可能に取り付けられているので、把持部２を把持したときの手首の向きが湾曲された中空針部１の基端部１ｂの軸心Ｃ２と交差するようになり、患部８の縫合に際し中空針部１の先端の突刺し部１ａを縫合位置に当てて押し込むようにして手首を把持部２の軸心Ｃ１を中心にして回転させることにより、中空針部１を患部８に突き通すことができる。このときの手首の曲がりも少なく、その動きも無理のない僅かな動きだけで、肘や腕の動きも殆ど伴わず、縫合作業を容易に行うことができる。更に、中空針部１をその基端部１ｂの軸心Ｃ２を中心に角度をかえることにより、把持部２に対する中空針部１の角度を縫合する患部８の位置により縫合し易いように、そして把持部２を把持したときの手が患部８への視覚の妨げになら内容に調整することができる。
【００２０】
さて、前記のようにして患部８の反対側に突刺し部１ａが出たら縫合糸４の先端部４ａを他方の手の指先で持ち、把持部２を逆に回転して中空針部１を患部７から抜き出して、縫合糸４が患部８の傷口９を貫通して横切る状態にする。かかる状態で、患部８の傷口９を貫通して横切っている縫合糸４の両端を持って結んだ後、突刺し部１ａ側の縫合糸４を鋏などで切断する。必要に応じて、このような縫合操作を繰り返して使用される。
【００２１】
使用後にあっては、本例の注射針型縫合器は、中空針部１の基端部１ｂが把持部２に着脱可能に取り付けられているので、金属製の中空針部と樹脂製の把持部を分別して廃棄することができる。
【００２２】
【発明の効果】
以上のように本発明に係る注射針型縫合器によれば、患部の縫合作業を容易に行うことができ、そして、使用後にあっては、金属製の中空針部と樹脂製の把持部を分別して廃棄することができるといった効果がある。
【図面の簡単な説明】
【図１】本発明に係る注射針型縫合器における実施の形態の一例を示す縦断側面図である。
【図２】本例の注射針型縫合器の分解斜視図である。
【図３】（Ａ）（Ｂ）は本例の注射針型縫合器で患部を縫合する過程を示す説明図である。
【図４】従来の注射針型縫合器の縦断側面図である。
【符号の説明】
１  中空針部
１ａ  突刺し部
１ｂ  基端部
２    把持部
３    糸収納部
４    縫合糸
４ａ  先端部
５    蓋
６    筒状嵌合凸部
７    支持部
８    患部
９    傷口
【図１】
0004121051.tif 000002
【図２】
0004121051.tif 000003
【図３】
0004121051.tif 000004
【図４】
0004121051.tif 000005